(57)【要約】【課題】コマセを希望するタナにおいて有効に放出することができる投釣り用コマセ篭に係るものである。【解決手段】コマセを充填するために端部を開口した篭本体と、篭本体の開口部にヒンジを用いて開閉自在に取り付けた蓋部とを備えた投釣り用コマセ篭において、蓋部に首振り可能なフックを篭本体に向けて突設するとともに、篭本体にこのフックの係止部を設け、しかも上記フックは係止部とかみ合う方向に付勢されており、またフックの軸着部の反対側には受圧板を取り付け、さらに篭本体の側壁に通水部とを設けることにより、投釣り用コマセ篭を所定のポイントに投入し、タナに到達した時点で釣り糸を煽った（急激に引いた）ときに、通水部から流入した水の水圧で受圧板が回動してフックを係止部から外れる方向に首振りさせ、係止部との係合を解いて蓋部を開放し、コマセと付け餌を狙ったタナに確実に放出するようにしたことを特徴とする投釣り用コマセ篭。【選択図】          図２
2005027590.tif 000002
【特許請求の範囲】
【請求項１】
コマセを充填するために端部を開口した篭本体と、篭本体の開口部にヒンジを用いて開閉自在に取り付けた蓋部とを備えた投釣り用コマセ篭において、蓋部に首振り可能なフックを篭本体に向けて突設するとともに、篭本体にこのフックの係止部を設け、しかも上記フックは係止部とかみ合う方向に付勢されており、またフックの軸着部の反対側には受圧板を取り付け、さらに篭本体の側壁に通水部とを設けることにより、投釣り用コマセ篭を所定のポイントに投入し、タナに到達した時点で釣り糸を煽った（急激に少し引き上げた）ときに、通水部から流入した水の水圧で受圧板が回動してフックを係止部から外れる方向に首振りさせ、係止部との係合を解いて蓋部を開放し、コマセと付け餌を狙ったタナに確実に放出するようにしたことを特徴とする投釣り用コマセ篭。
【請求項２】
蓋部が、その下端に錘を取り付けてなる請求項１に記載の投釣り用コマセ篭。
【請求項３】
蓋部が、その側壁に水抜き孔を設けてなる請求項１に記載の投釣り用コマセ篭。
【発明の詳細な説明】
【技術分野】
【０００１】
この発明は投釣り用コマセ篭に関するものであって、特にコマセと付け餌を希望するタナに有効に放出することができる投釣り用コマセ篭に係るものである。
【背景技術】
【０００２】
従来、集魚用として深いタナにコマセをまく場合としては、主に、船上等からコマセ篭を垂らして希望するタナで煽って（急激に少し引き上げて）コマセを放出させる場合と、投釣り用のコマセ篭を用いて希望するタナでコマセを放出させる場合との２つの方法があった。
【０００３】
前者の方法としては例えば、実開昭５８−１３７０８０号公報（特許文献１）、実開昭５８−１８７２７５号公報（特許文献２）、実開昭５９−４７４８０号公報（特許文献３）、実開昭６０−１５１３７５号公報（特許文献４）等があり、いずれのものにも水圧を受けて蓋を開放させるようにしたコマセ篭がそれぞれ示されている。
しかしながら、これらの先行技術はいずれも投釣り用のコマセ篭に関するものではなく、本願発明の投釣り用コマセ篭とは目的や作用効果をまったく異にするものである。
【０００４】
後者の例としては登録実用新案第３０２２２７３号公報（特許文献５）に示されたものがあり、これは下端を開口して内部にコマセを収容可能とした上部カゴ本体と、その上部カゴ本体１の下端に脱着自在とした下部フタ体と、その下部フタ体の上に覆設した中板とを備え、それら上部カゴ本体、中板及び下部フタ体にフレキシブルな中心軸を上下方向に貫通させ、下部フタ体の下方へ貫出した中心軸に錘体を取付けた投釣り用コマセ篭である。
【特許文献１】実開昭５８−１３７０８０号公報
【特許文献２】実開昭５８−１８７２７５号公報
【特許文献３】実開昭５９−４７４８０号公報
【特許文献４】実開昭６０−１５１３７５号公報
【特許文献５】登録実用新案第３０２２２７３号公報
【発明の開示】
【発明が解決しようとする課題】
【０００５】
上記後者の投釣り用コマセ篭に関する先行技術においては、上部カゴ本体、中板及び下部フタ体にフレキシブルな中心軸を上下方向に貫通させた構造とし、上部カゴ本体、中板及び下部フタ体を軸線方向からずらしてコマセを放出しやすいようにしている。
【０００６】
しかしながら、上記従来の投釣り用コマセ篭においては、着水時等に上部カゴ本体と下部フタ体とが開放されやすく、希望のタナに到達するまでにコマセ等が放出されてしまうという欠点があった。すなわち、遠投の場合は陸地から８０〜１００ｍも投げる場合があり、その着水時の衝撃は非常に大きいものとなる。そのため、着水時の衝撃で下部フタ体から上部カゴ本体が離れて開いてしまうのである。
【０００７】
ちなみに、投釣り用コマセ篭が遠投の際に受ける風圧も非常に大きいものがあり、空中で下部フタ体から上部カゴ本体が離れて開いてしまい、コマセ等が放出されるという問題があった。
【０００８】
また上記着水時の衝撃でコマセ等が放出されなかったとしても、下部フタ体から上部カゴ本体が離れて開いてしまうと沈降の際に上部カゴ本体内に水圧がかかり、やはりコマセ等を希望のタナに到達するまでに放出してしまうという問題は解決されていない。例えば真鯛等を釣ろうとする場合、水深５０〜６０ｍがポイントであり、そのタナに投釣り用コマセ篭が到達するまでには相当の時間を要するものである。したがってその途中でコマセ等が放出されていた場合には、小魚（餌取り）等に付け餌を奪われたり、狙う獲物以外の魚が懸かってしまうおそれがあった。
【０００９】
さらに、中心軸が上部カゴ本体、中板及び下部フタ体に上下方向に貫通しているので、付け餌がこの中心軸にからんでしまい、うまくコマセ篭内から放出させることができないという問題もあった。
【００１０】
この発明はこのような背景からなされたものであって、希望のタナ（魚層）に達するまでコマセの散乱を防ぐことによって釣果を充分に上げることができ、また取り扱い時においても周辺を汚すこともなく、しかも構造が単純でコストや維持管理の面で優れた新規な投釣り用コマセ篭の開発を試みたものである。
もちろん、投釣りに際して飛距離に不足はなく、また希望するタナに正確にコマセを放出することができるようにすることを主な目的としている。
【課題を解決するための手段】
【００１１】
この発明の投釣り用コマセ篭は、コマセを充填するために端部を開口した篭本体と、篭本体の開口部にヒンジを用いて開閉自在に取り付けた蓋部とを備えた投釣り用コマセ篭において、蓋部に首振り可能なフックを篭本体に向けて突設するとともに、篭本体にこのフックの係止部を設け、しかも上記フックは係止部とかみ合う方向に付勢されており、またフックの軸着部の反対側には受圧板を取り付け、さらに篭本体の内側壁に通水部とを設けることにより、投釣り用コマセ篭を所定のポイントに投入し、タナに到達した時点で釣り糸を煽った（急激に少し引き上げた）ときに、通水部から流入した水の水圧で受圧板が回動してフックを係止部から外れる方向に首振りさせ、係止部との係合を解いて蓋部を開放し、コマセと付け餌を狙ったタナに確実に放出するようにしたことを特徴とするものである。
【００１２】
この発明の投釣り用コマセ篭は、上記蓋部が、その下端に錘を取り付けたことをも特徴としている。
【００１３】
この発明の投釣り用コマセ篭は、上記蓋部が、その側壁に水抜き孔を設けたことをも特徴としている。
【発明の効果】
【００１４】
この発明の投釣り用コマセ篭にあっては、希望するタナに達するまでコマセが散乱することを確実に防ぐことによって、狙った魚の釣果を充分に上げることができ、また取り扱い時においても周辺を汚すこともなく、しかも構造が単純でコストや維持管理の面で優れた新規な投釣り用コマセ篭が提供できるようになった。
【００１５】
もちろん、この発明にあっても遠投に際して飛距離に不足はなく、また希望のタナ（魚層）に正確にコマセを撒くことができる投釣り用コマセ篭を提供できることはいうまでもない。
【発明を実施するための最良の形態】
【００１６】
以下この発明の投釣り用コマセ篭を、図示の実施の形態に基づいて具体的に説明する。
図１はこの発明の投釣り用コマセ篭の蓋部を閉じた状態の側面図、図２はその要部縦断面図、図３はさらに直角方向から見た要部縦断面図、図４および図５もそれぞれ投釣り用コマセ篭の蓋部を開いた状態を示し、図４は篭本体の平面図、図５は蓋部の平面図、図６は蓋部の底面図、図７は固定板および受圧板の底面図、、図８は受圧板の概略断面図図９（ａ），（ｂ），（ｃ）はそれぞれ固定板の概略断面図である。
【００１７】
図１ないし図５において、投釣り用コマセ篭１１はコマセを充填するために端部を開口した篭本体１２と、篭本体１２の開口部１３にヒンジ金具やプラスチックヒンジ等からなるヒンジ１４を用いて開閉自在に取り付けた蓋部１５とを備え、プラスチック素材等を用いて成形されている。１６は天秤で一方の軸には道糸１７が、また他方の軸には仕掛けのためのハリス１８等がそれぞれ取り付けられている。上記蓋部１５の外形は、空気抵抗の少ない形状に成形されており、遠投時の飛距離を損なわないようになっている。
【００１８】
そして、上記蓋部１５にはヒンジ１４と対向する位置に、首振り可能なフック１９を篭本体１２に向けて突設するとともに、篭本体１２にこのフック１９の係止部２０を設けている。また上記蓋部１５には、図７および図８に示すように、適所に通水可能な孔を設けた固定板２１−１および、これとヒンジ２１−３で首振り可能に受圧板２１−２を取り付けてある。上記フック１９は受圧板２１−２と一体に設けてあり、受圧板２１−２の動きに応じて首振りするようになっている。なお、受圧板２１−２の外周部分をやや大きくして、通水口２４から流入した水流が受圧板２１−２にぶつかるように構成してある。この受圧板２１−２はその周囲にリング状立上げ部を形成されており、その強度を増すとともに、水圧を受けたときの受圧板２１−２にかかる圧力を増す役割を持っている。２２は受圧板２１−２の背面に取り付けたバネで、他端は蓋部１５に固着されている。このバネ２２により、フック１９は常時係止部２０とかみ合う方向に付勢されている。２３は受圧板２１−２の基部に設けた通水孔である。
【００１９】
上記固定板２１−１は図６に示す蓋部１５に設けたビス孔２１−４に、小ビス２１−５を用いて固着され、受圧板２１−２を支持している。すなわち、図９（ａ），（ｂ）に示すように固定板２１−１を蓋部１５に固定するものである。もちろん、図９（ｃ）のように、小ビス２１−５に代えて割ピン２１−６を用いてもよい。
【００２０】
篭本体１２の側壁には通水部が形成され、図ではこの通水部として通水口２４および通水孔２５が交互に配置されている。そして、投釣り用コマセ篭１１を所定のポイントに投入し、希望のタナに到達した時点で釣り糸を２〜３回煽った（急激に少し引き上げた）ときに、通水部、特に通水口２４から流入した水の水圧で受圧板２１−２が回動し、フック１９を係止部２０から外れる方向に首振りさせるようになっている。フック１９が係止部２０との係合を解かれると蓋部１５が開放され、篭本体１２の下部が開放されて篭本体１２に収納したコマセが希望のタナ（魚層）にまき放されるのである。上記通水孔２５は投釣り用コマセ篭１１が沈降する際に篭本体１２内の流水がスムーズに行なわれるよう機能するものであるが、その表面側の開口部は篭本体１２表面上に形成した窪みの中にあり、遠投時の抵抗を少なくして飛距離を出すように配慮されている。
【００２１】
上記蓋部１５には、その下端に遠投用に好適な貫通孔２７を設けた錘２６が取り付けられている。また受圧板２１−２やフック１９が首振りする際の切欠き２９を設けたガイド板２８には、その適所に通水孔３０が形成され、蓋部１５の側壁にも受圧板２１−２の通水孔２３や上記通水孔３０に対応して通水孔３１が形成されている。３２は係止部２０の周囲を囲むように形成した係止部カバーで、適所の通水口２４と一体的に形成されて通水可能となっており、なおかつフック１９と係止部２０との間に夾雑物が介在しないようにも機能する。
【００２２】
フック１９は下部に操作レバー３３を突設し、その先端を蓋部１５の側壁に設けた窓３４からのぞかせておくことができる。そして、例えばコマセを充填したりメンテナンスしたりする際には、操作レバー３３を指で押し上げてフック１９を係止部２０から外すことにより、蓋部１５を手動で開放することができる。
【００２３】
上記篭本体１２の内側壁に設けた通水口２４とともに、側壁に設けた通水孔２５や受圧板２１−２に設けた通水孔２３、ガイド板２８に設けた通水孔３０、蓋部１５側壁の通水孔３１により、篭本体１２の内部と外部との間の通水を容易にしている。したがって、内外の水圧を調整して蓋部１５の開閉を容易にし、また投釣り用コマセ篭１１の水中への沈降を速やかにし、引き上げる際のバランスをとって投釣り用コマセ篭１１の振れを解消している。
【００２４】
上記図１ないし図７に示した基本的な実施例についてその操作方法を説明する。まず、釣人は投釣り用コマセ篭１１を用意して釣場に行くのであるが、その中に充填するコマセは、例えば釣具店等において適宜量産状態に用意されていてもよいし、あるいは釣人が個人的に家庭においてコマセを適宜の袋に区分けしておいてもよい。
【００２５】
そして釣場において、コマセを投釣り用コマセ篭１１に収納して用いるのである。すなわち、投釣り用コマセ篭１１の蓋部１５の側壁に突き出た操作レバー３３の先端を押し上げてフック１９の係止部２０との係合を解き、蓋部１５を開放して、篭本体１２の内部にコマセを収納するのである。そして、蓋部１５を閉じれば、自動的にフック１９は係止部２０に係合し、蓋部１５は篭本体１２の開口部を閉じる。その際、仕掛けはコマセとともに篭本体１２の内部に収納しておくようにする。
【００２６】
そして、竿を振って投釣り用コマセ篭１１を目的のポイントに投入した後は、静かに希望のタナ（魚層）に至るまで釣糸を繰り出してゆく。浮き等で適宜水深の希望のタナに至ったことを確認した後は、釣人は釣竿を上下に２〜３回水中で上下にあおる・・・強く引き上げる・・・ように操作する。このようにすると、篭本体１２の内部で水流が起き、受圧板２１−２が回動し、フック１９を係止部２０から外れる方向に首振りさせる。フック１９が係止部２０との係合を解かれると蓋部１５が開放され、篭本体１２の下部が開放されて篭本体１２に収納したコマセと付け餌がタナに放出されるのである。このようにして針に魚が掛かったときには適宜釣糸を引き上げて魚を取り込み、再び投釣り用コマセ篭１１内のコマセと付け餌を充填して海中に投入する。
【産業上の利用可能性】
【００２７】
この発明の投釣り用コマセ篭にあっては、海岸の陸の上や、所定の水深から、あるいは船の上等からの海釣りのみならず、一定の水深を備えた河川の陸の上や船の上等からの釣り等にも適宜利用することができる。
【図面の簡単な説明】
【００２８】
【図１】この発明の投釣り用コマセ篭の蓋部を閉じた状態の側面図である。
【図２】その要部断面図である。
【図３】さらに直角方向から見た要部縦断面図である。
【図４】篭本体の平面図である。
【図５】蓋部の平面図である。
【図６】蓋部の底面図である。
【図７】固定板および受圧板の底面図である。
【図８】受圧板の概略断面図である。
【図９】（ａ），（ｂ），（ｃ）はそれぞれ固定板の概略断面図である。
【符号の説明】
【００２９】
１１  投釣り用コマセ篭
１２  篭本体
１３  開口部
１４  ヒンジ
１５  蓋部
１６  天秤
１７  道糸
１８  ハリス
１９  フック
２０  係止部
２１−１  固定板
２１−２  受圧板
２１−３  ヒンジ
２１−４  ビス孔
２１−５  小ビス
２１−６  割ピン
２２  バネ
２３  通水孔
２４  通水口
２５  通水孔
２６  錘
２７  貫通孔
２８  ガイド板
２９  切欠き
３０  通水孔
３１  通水孔
３２  係止部カバー
３３  操作レバー
３４  窓
【図１】
2005027590.tif 000003
【図２】
2005027590.tif 000004
【図３】
2005027590.tif 000005
【図４】
2005027590.tif 000006
【図５】
2005027590.tif 000007
【図６】
2005027590.tif 000008
【図７】
2005027590.tif 000009
【図８】
2005027590.tif 000010
【図９】
2005027590.tif 000011